(57)【要約】【課題】オゾン水が高温になるのを抑制することができ、高濃度のオゾン水をボウルに供給することができる水洗便器を提供すること。【解決手段】ボウル２と、前記ボウル２にボウル洗浄水を供給する供給部５と、電極を含むオゾン発生器を有し、生成したオゾン水を貯水可能なオゾン水生成装置６と、前記オゾン水生成装置６に貯水されたオゾン水を前記ボウル２に供給するオゾン水供給路８と、を備えた水洗便器１であって、前記電極で発生した熱が、前記供給部５内のボウル洗浄水に排出可能とする。【選択図】図１
2014163197.tif 000002
【特許請求の範囲】
【請求項１】
ボウルと、
前記ボウルにボウル洗浄水を供給する供給部と、
電極を含むオゾン発生器を有し、生成したオゾン水を貯水可能なオゾン水生成装置と、
前記オゾン水生成装置に貯水されたオゾン水を前記ボウルに供給するオゾン水供給路と、
を備えた水洗便器であって、
前記電極で発生した熱が、前記供給部内のボウル洗浄水に排出可能とされていることを特徴とする水洗便器。
【請求項２】
前記オゾン水生成装置には、前記電極の熱を前記供給部内のボウル洗浄水に伝達可能な伝熱部材が配設されていることを特徴とする請求項１に記載の水洗便器。
【請求項３】
ボウルと、
前記ボウルにボウル洗浄水を供給する供給部と、
前記供給部と接続し、供給部内の水を局部洗浄水として噴出可能な局部洗浄ノズルと、
電極を含むオゾン発生器を有し、生成したオゾン水を貯水可能なオゾン水生成装置と、
を備えた水洗便器であって、
前記電極で発生した熱が、前記供給部内の局部洗浄水に排出可能とされていることを特徴とする水洗便器。
【請求項４】
前記オゾン水生成装置には、前記電極の熱を前記供給部内の局部洗浄水に伝達可能な伝熱部材が配設されていることを特徴とする請求項３に記載の水洗便器。
【発明の詳細な説明】
【技術分野】
【０００１】
本発明は、水洗便器に関する。  
【背景技術】
【０００２】
これまでに、本出願人は、電極を有するオゾン発生器（オゾン水生成手段）と、オゾン水を便器内およびトイレ空間内に噴霧する噴霧手段とを備えた衛生洗浄装置を提案している（特許文献１）。この衛生洗浄装置では、貯水タンク内に、生成されたオゾン水が一定量貯水され、このオゾン水を便器内およびトイレ空間内に噴霧することで、微生物の増殖および悪臭の発生を抑えることができる。
【先行技術文献】
【特許文献】
【０００３】
【特許文献１】特開2009−138359号公報
【発明の概要】
【発明が解決しようとする課題】
【０００４】
しかしながら、特許文献１の衛生洗浄装置の場合、オゾン発生器（オゾン水生成手段）によって生成されたオゾン水は、電流によって発熱状態にある電極によって昇温して高温になる場合があると考えられた。このため、オゾン水は、溶解度の低下によってオゾンが気化し、オゾン水のオゾン濃度の低下を招きかねない点が改善点として見出された。
【０００５】
本発明は、以上のとおりの事情に鑑みてなされたものであり、オゾン水が高温になるのを抑制することができ、高濃度のオゾン水をボウルに供給することができる水洗便器を提供することを課題としている。
【課題を解決するための手段】
【０００６】
上記の課題を解決するために、本発明の水洗便器は、ボウルと、前記ボウルにボウル洗浄水を供給する供給部と、電極を含むオゾン発生器を有し、生成したオゾン水を貯水可能なオゾン水生成装置と、前記オゾン水生成装置に貯水されたオゾン水を前記ボウルに供給するオゾン水供給路と、を備えた水洗便器であって、前記電極で発生した熱が、前記供給部内のボウル洗浄水に排出可能とされていることを特徴としている。
【０００７】
この水洗便器においては、前記オゾン水生成装置には、前記電極の熱を前記供給部内のボウル洗浄水に伝達可能な伝熱部材が配設されていることが好ましい。
【０００８】
本発明の水洗便器は、ボウルと、前記ボウルにボウル洗浄水を供給する供給部と、前記供給部と接続し、供給部内の水を局部洗浄水として噴出可能な局部洗浄ノズルと、電極を含むオゾン発生器を有し、生成したオゾン水を貯水可能なオゾン水生成装置と、を備えた水洗便器であって、前記電極で発生した熱が、前記供給部内の局部洗浄水に排出可能とされていることを特徴としている。
【０００９】
この水洗便器においては、前記オゾン水生成装置には、前記電極の熱を前記供給部内の局部洗浄水に伝達可能な伝熱部材が配設されていることが好ましい。
【発明の効果】
【００１０】
本発明の水洗便器によれば、オゾン水が高温になるのを抑制することができ、高濃度のオゾン水をボウルに供給することができる。
【図面の簡単な説明】
【００１１】
【図１】本発明の水洗便器の第１実施形態を例示した縦断面図である。
【図２】本発明の水洗便器に含まれるオゾン水生成装置の一実施形態を例示した概要断面図である。
【図３】本発明の水洗便器の第２実施形態を例示した斜視図である。
【発明を実施するための形態】
【００１２】
図１は、本発明の水洗便器の第１実施形態を例示した縦断面図である。図１では、オゾン生成装置、給水部、オゾン水供給路などを簡略化して示している。
【００１３】
水洗便器１は、ボウル２、便座３、便座カバー４、供給部５、オゾン水生成装置６およ
びオゾン水供給路８を備えている。
【００１４】
ボウル２の材料は、例えば、陶器、樹脂などを例示することができる。ボウル２は、開口部２aから後方に向かって屈曲して延びるトラップ２bを有しており、開口部２aにはトラップ２bによりエアートラップを形成するための水が滞留可能とされている。さらに、ボウル２の開口部２aの上端縁にはリム２cが形成されており、ボウル２の開口部２aの後方には、貯水タンク５１を載置可能な載置面２dが形成されている。
【００１５】
便座３は、ボウル２の開口部２aの上方において上下に開閉自在とされており、便座３を閉じた状態では、便座３とボウル２のリム２cとが当接する。また、便座カバー４は、便座３上において開閉自在とされている。
【００１６】
供給部５は、給水部７と貯水タンク５１と供給管５２とを有している。
【００１７】
貯水タンク５１は、ボウル２の載置面２dに載置されており、内部に所定量の水を貯めることができる。
【００１８】
供給管５２は、貯水タンク５１と接続しており、ボウル洗浄水をボウル２に供給する。具体的には、供給管５２は、その上流端の取込口５２aを貯水タンク５１の底に配置してボウル２に取り付けられており、供給管５２の下流端の排出口５２bは、ボウル２のリム２cの方向に向けられている。したがって、貯水タンク５１内の水は、ボウル洗浄水として、供給管５２の排出口５２bからリム２cに沿って排出され（図１中の矢印Ｆ方向）、ボウル２内に供給される。
【００１９】
給水部７には、給水管７a、電磁弁７b、逆止弁７c、バキュームブレーカー７dなどが含まれる。また、給水管７aは、下流において、貯水タンク５１と接続する第１流路７eと、貯水タンク５１内のオゾン生成装置６と接続する第２流路７fとに分岐している。給水部７内を通る水は、第１流路７eを通じて貯水タンク５１へ水（水道水）が供給され、第２流路７fを通じてオゾン水生成装置６へ水（水道水）が供給される。  
【００２０】
オゾン水生成装置６は、供給部５の貯水タンク５１内に配設されている。具体的には、例えば図２の概要断面図に例示したように、オゾン水生成装置６は、流入口６１、流出口６２、オゾン発生器６３、溶解部６４および伝熱部材６５を有する形態を例示することができる。図２のオゾン水生成装置６では、給水部７から供給された水（水道水）は、流入口６１を通じてオゾン水生成装置６の内部に流入し、オゾン発生器６３によって電気分解されてオゾンガスを発生させる。このオゾンガスは、溶解部６４において水に溶解してオゾン水が生成され、溶解部６４に貯水される。溶解部６４に貯水されたオゾン水は、流出口６２からオゾン水供給路８へと流出する。
【００２１】
オゾン発生器６３の具体的な構成は特に限定されず、電極６３a（陽極、陰極）を介して水を電気分解してオゾンガスを生成する電解方式のものを適宜採用することができる。より具体的には、例えばオゾン発生器６３は、電源Ｅと接続した電極６３a（陽極と陰極）との間をイオン交換膜Ｍで仕切る構造を有するものを例示することができる。このようなイオン交換膜Ｍとしては、耐オゾン性を有する公知の材料を適宜採用することができるが、具体的には、例えば、ポリテトラフルオロエチレンなどを基体としたものを例示することができる。また、陽極および陰極は、オゾン水の生成に適した適宜な材料を組み合わせて使用することができる。具体的には、陽極の材料としては、ダイヤモンド、金、白金などを例示することができ、陰極の材料としては、ダイヤモンド、ステンレス、金、銀、白金、チタンなどを例示することができる。なかでもダイヤモンド電極は、電気分解によって発生する水素と酸素の発生を抑制することができ、オゾン水を効率よく生成できるため特に好ましい。
【００２２】
また、伝熱部材６５は、電極６３aの熱を貯水タンク５１内に貯水されたボウル洗浄水に伝達可能とされている。伝熱部材６５の材料としては、電極６３aからの熱を供給部内のボウル洗浄水に伝熱可能なものであれば特に限定するものではなく、例えば表面を絶縁処理した金属や、金属粉を充填した樹脂成形品などを例示することができる。伝熱部材６５の配設位置は、電極６３aと接する位置であることが好ましく、例えば、オゾン水生成装置６の壁面６aと電極６３aとの間などに配設することができる。これによって、効率的に電極６３aの熱を貯水タンク５１内のボウル洗浄水に伝達することができる。
【００２３】
オゾン水供給路８は、オゾン水生成装置６に貯水されたオゾン水をボウル２に供給する流路である。具体的には、オゾン水供給路８は、オゾン水生成装置６の流出口６２と、供給管５２の排出口５２bと接続している。したがって、オゾン水生成装置６の溶解部６４に貯水されたオゾン水は、オゾン水供給路８を通じて供給管５２の排出口５２bへと流れ、貯水タンク５１からの水と合流し、所定のオゾン濃度のオゾン水をボウル洗浄水としてボウル２に供給することができる。なお、オゾン水生成装置６からのオゾン水を貯水タンク５１からの水と合流させず、供給管５２から直接ボウル２へと供給することもできる。
【００２４】
水洗便器１は、オゾン水生成装置６によってオゾン水が生成される際、電源Ｅから供給される電流によって電極６３aが発熱状態となるため、電極６３aが一時的に昇温する。しかし、この電極６３aと接して設けられた伝熱部材６５を介して貯水タンク５１内の水に熱を排出することができるため、溶解部６４内のオゾン水の温度が高温になることが抑制される。したがって、オゾン水のオゾンの溶解度の低下が抑制され、オゾンが気化し難いため、高濃度（例えば、0.5mg/L〜1.5mg/L程度）のオゾン水を確実にボウル２に供給することができる。これによって、ボウル２の表面における微生物の増殖や悪臭の発生を効果的に抑制することができる。
なお、ボウル洗浄水によってボウル２を洗浄する際には、例えば、貯水タンク５１内の水をボウル２へ供給して洗浄した後、供給管５２内のボウル洗浄水にオゾン水生成装置６からのオゾン水を合流させてボウル２へ供給することで、洗浄、殺菌することができる。
【００２５】
次に、本発明の水洗便器の第２実施形態について、図１〜図３とともに説明する。図３は、本発明の水洗便器の第２実施形態を例示した斜視図である。第１実施形態と共通する部分には同一の符号を付し、以下では説明を省略する。
【００２６】
水洗便器１は、ボウル２のリム２cの後方側に、出し入れ自在とされた局部洗浄ノズル９を備えている。またこの水洗便器１は、供給部５として、局部洗浄ノズル９に局部洗浄水を供給する局部洗浄水タンク（図示せず）を備えている。局部洗浄ノズル９は、供給部５の局部洗浄水タンクと接続しており、先端付近から上方へ向かって水を噴出可能とされている。また局部洗浄水タンクは、オゾン水生成装置６と接して設けられており、局部洗浄水タンクとオゾン水生成装置６との間で熱交換可能に形成されている。局部洗浄ノズル９の具体的な構成は限定されず、従来公知の構造を有するものを適宜採用することができる。局部洗浄ノズル９は、例えば、使用者が便座３に着座した状態を検知して、前方（ボウル２中央側）へ向かってスライドし、使用者の局部へ向かって局部洗浄水を噴出するものであってよい。また、局部洗浄ノズル９は、オゾン水生成装置６と接続することもできる。
【００２７】
水洗便器１は、オゾン水生成装置６によってオゾン水が生成される際、電源Ｅから供給される電流によって電極６３aが発熱状態となるため、電極６３aが一時的に昇温する。しかしながら、この電極６３aの熱は、伝熱部材６５を介して局部洗浄水タンク内の水（局部洗浄水）に排出されるため、オゾン水生成装置６の溶解部６４内のオゾン水の温度が高温になることが抑制される。したがって、オゾン水のオゾンの溶解度の低下が抑制され、オゾンが気化し難いため、高濃度（例えば、0.5mg/L〜1.5mg/L程度）のオゾン水が溶解部６４に貯水される。そして、溶解部６４に貯水された高濃度のオゾン水は、供給部５の供給管５２を介してボウル２へと供給することができる。また、局部洗浄ノズル９とオゾン水生成装置６とを接続させた場合には、溶解部６４に貯水された高濃度のオゾン水を局部洗浄ノズル９へ供給することができる。
【００２８】
そして、電極６３aの熱が排出された局部洗浄水タンク内の水は、局部洗浄水として局部洗浄ノズル９から噴出させることができる。また、オゾン水生成装置６のオゾン水が供給部５の供給管５２へ供給される場合には、第１実施形態と同様に、オゾン水をボウル洗浄水としてボウル２に供給することができる。これによって、ボウル２の表面における微生物の増殖や悪臭の発生を効果的に抑制することができる。さらに、オゾン水生成装置６のオゾン水が局部洗浄ノズル９へ供給される場合には、局部洗浄ノズル９の表面等における微生物の増殖や悪臭の発生を効果的に抑制することができる。
【００２９】
このように、第２実施形態の水洗便器１においては、電極６３aからの熱は、局部洗浄水として利用される供給部５（局部洗浄水タンク）内の水に排出可能とされている。
【００３０】
本発明の水洗便器は、以上の実施形態に限定されるものではない。例えば、供給部や貯水タンクの内部には、急圧変部、循環流路などを設けることもでき、例えば、供給部には、電磁弁などを配設することもできる。さらに、第１実施形態では、貯水タンク内の水を用いてボウル洗浄する形態を説明したが、水道管に直結した、いわゆるタンクレス方式の水洗便器に適用することもできる。この場合は、例えば、水道管に直結した供給部（供給管）に接するようにオゾン水生成装置を設け、電極で発生した熱を供給部（供給管）内のボウル洗浄水に伝熱して排出することで、溶解部内のオゾン水の温度が高温になることを抑制することができる。また、局部洗浄水タンクに水道水を供給する供給部（供給管）に接するようにオゾン水生成装置を設け、電極で発生した熱を供給部（供給管）内の局部洗浄水に伝熱して排出するようにしてもよい。また、ボウルにボウル洗浄水を供給する供給部（供給管）と、局部洗浄水タンクに水道水を供給する供給部（供給管）の両方に接するようにオゾン水生成装置を設け、電極で発生した熱をボウル洗浄水と局部洗浄水の両方に伝熱して排出するようにしてもよい。
【００３１】
また、本発明の水洗便器においては、オゾン水生成装置の伝熱部材は必ずしも必要ではなく、オゾン水生成装置内に貯水された水を介して電極の熱を排出することもできる。この場合、電極の熱が排出された水は、例えば供給部を通じてボウルへ供給することができる。
【符号の説明】
【００３２】
１    水洗便器
２    ボウル
５    供給部
６    オゾン水生成装置
６３  オゾン発生器
６５  伝熱部材
６３a  電極
８    オゾン水供給路
９    局部洗浄ノズル
【図１】
2014163197.tif 000003
【図２】
2014163197.tif 000004
【図３】
2014163197.tif 000005